(57)【要約】      （修正有）【課題】表示部の照明を暗くすることなく、かつ消費電力を抑えた電子機器を提供する。【解決手段】正面部に第１の表示部２、背面部に前記第１の表示部２よりも電力消費量の少ない第２の表示部３が配置された第１筐体と、正面部に操作部５が配置された第２筐体とを備え、第１筐体と第２筐体の連結部によって前記第１の表示部２と前記操作部５を同時に視認可能な第１状態、前記第２の表示部３と前記操作部５を同時に視認可能な第２状態、前記第１の表示部２が操作部５に覆われると共に前記第２の表示部３が外部に露出される第３状態、或いは、前記第１の表示部２が操作部５に覆われると共に前記第１の表示部２が外部に露出される第４状態とに遷移可能な電子機器において、前記第１状態、第３状態或いは第４状態から前記第２状態に遷移した場合に、前記第１の表示部２を消灯表示または非表示とすると共に前記第２の表示部３を点灯表示する。【選択図】図６
2010177883.tif 000002
【特許請求の範囲】
【請求項１】
正面部に第１の表示部、背面部に前記第１の表示部よりも電力消費量の少ない第２の表示部が配置された第１筐体と、
正面部に操作部が配置された第２筐体と、
前記第１筐体と前記第２筐体とを連結する連結部と、を備え、
前記連結部によって前記第１の表示部と前記操作部を同時に視認可能な第１状態、
前記第２の表示部と前記操作部を同時に視認可能な第２状態、
前記第１の表示部が操作部に覆われると共に前記第２の表示部が外部に露出される第３状態、
或いは、
前記第１の表示部が操作部に覆われると共に前記第１の表示部が外部に露出される第４状態とに遷移可能な電子機器において、
前記第１状態、第３状態或いは第４状態から前記第２状態に遷移すると、前記第１の表示部を消灯表示または非表示とすると共に前記第２の表示部を点灯表示することを特徴とする電子機器。
【請求項２】
正面部に第１の表示部、背面部に前記第１の表示部よりも電力消費量の少ない第２の表示部が配置された第１筐体と、
正面部に操作部が配置された第２筐体と、
前記第１筐体と前記第２筐体とを連結する連結部と、
前記連結部によって前記第１の表示部と前記操作部を同時に視認可能な第１状態、
前記第２の表示部と前記操作部が同時に視認可能な状態、
電池残量が所定値を下回ると、前記第１の表示部を消灯表示または非表示とすると共に前記第２の表示部を点灯表示することを特徴とする電子機器。
【請求項３】
前記電子機器は、
前記第１の表示部および第２の表示部の表示を制御する表示制御部と、
前記第１筐体および第２筐体の状態を検知する状態検知部と、を備え
前記状態検知部が、前記第１状態、第３状態或いは第４状態から前記第２状態に遷移して所定時間経過したことを検知した場合に、
前記表示制御部は、前記第１の表示部を消灯表示または非表示すると共に前記第２の表示部を点灯表示することを特徴とする請求項１記載の電子機器。
【請求項４】
前記電子機器は、
前記第１の表示部および前記第２の表示部の表示を制御する表示制御部と、
電子機器の電池残量を検知する電池残量検知部と、を備え、
前記電池残量検知部が、電池残量が所定値を下回ったことを検知した場合に、
前記表示制御部は、前記第１の表示部を消灯表示または非表示とすると共に前記第２の表示部を点灯表示することを特徴とする請求項２記載の電子機器。
【請求項５】
前記第１の表示部を消灯表示または非表示とすると共に前記第２の表示部を点灯表示する場合に、
前記第２状態において前記操作部による操作に基づいて第２の表示部の表示内容が変化することを特徴とする請求項１乃至請求項４いずれかに記載の電子機器。
【請求項６】
前記第２の表示部に表示される文字或いは記号を第１の方向および前記第１の方向とは異なる第２の方向に表示させることを特徴とする請求項１乃至５いずれかに記載の電子機器。
【請求項７】
前記第２の表示部に表示される文字或いは記号を所定の方向に移動させながら表示させることを特徴とする請求項１乃至請求項６いずれかに記載の電子機器。
【請求項８】
前記第１の表示部を消灯表示または非表示とすると共に前記第２の表示部を点灯表示する場合に、
前記第１の表示部において表示していた内容を第２の表示部に表示させることを特徴とする請求項１乃至請求項７のいずれかに記載の電子機器。
【発明の詳細な説明】
【技術分野】
【０００１】
本発明は、携帯端末、ＰＤＡ（Ｐｅｒｓｏｎａｌ  Ｄｉｇｉｔａｌ  Ａｓｓｉｓｔａｎｔ）等の電子機器の表示制御方法に関する。
【背景技術】
【０００２】
従来、携帯電話機などの携帯端末には、２つの筐体がヒンジ機構を介して折り畳み可能に連結されて構成される折畳み式のものがある。また、折り畳み可能に連結するだけでなく、メインの表示部やサブの表示部が配置されている一方の筐体を操作部が配置されている他方の筐体に対して反転可能に構成して、開いた状態においてメインの表示部と操作部が同時に視認可能な第１状態とサブの表示部と操作部が同時に視認可能な第２状態とに遷移可能に構成されるものがある。
【０００３】
また、近年、携帯端末は電話、メールといった基本的な機能に加えて、カメラ、音楽再生、ワンセグ、アプリなどをはじめとした、数多くの機能が搭載されており、携帯端末の電池容量がこれらの機能の長時間の使用に対応できないのが実情である。
そのような状況下、従来では、電池残量が残り少なくなった際に、通話時間、待受時間を少しでも延長させることを目的として、メインの表示部の照明を減光するように制御させていた。
【先行技術文献】
【特許文献】
【０００４】
【特許文献１】特開１９９８−２３４０７９号公報
【発明の概要】
【発明が解決しようとする課題】
【０００５】
しかしながら、上記従来技術においては、メインの表示部の照明を減光するように制御することで、通話時間、待受時間を延長させることはできても、表示は暗くなってしまう。また、メインの表示部の照明を減光するように制御することで、消費電流値は減るが、決して少ない消費電流値ではない。
【０００６】
本発明はかかる課題を解決するためになされたもので、電子機器の表示部の照明を暗くすることなく、かつ消費電力を抑えたユーザの使い勝手の良い電子機器を提供することを目的とする。
【課題を解決するための手段】
【０００７】
本発明にかかる電子機器は、正面部に第１の表示部、背面部に前記第１の表示部よりも電力消費量の少ない第２の表示部が配置された第１筐体と、正面部に操作部が配置された第２筐体と、前記第１筐体と前記第２筐体とを連結する連結部と、を備え、前記連結部によって前記第１の表示部と前記操作部を同時に視認可能な第１状態、前記第２の表示部と前記操作部を同時に視認可能な第２状態、前記第１の表示部が操作部に覆われると共に前記第２の表示部が外部に露出される第３状態、或いは、前記第１の表示部が操作部に覆われると共に前記第１の表示部が外部に露出される第４状態とに遷移可能な電子機器において、
に遷移可能な電子機器において、前記第１状態、第３状態或いは第４状態から前記第２状態に遷移すると、前記第１の表示部を消灯表示または非表示とすると共に前記第２の表示部を点灯表示することを特徴とする。
【０００８】
本発明にかかる電子機器は、正面部に第１の表示部、背面部に前記第１の表示部よりも電力消費量の少ない第２の表示部が配置された第１筐体と、正面部に操作部が配置された第２筐体と、前記第１筐体と前記第２筐体とを連結する連結部と、前記連結部によって前記第１の表示部と前記操作部を同時に視認可能な第１状態と、前記第２の表示部と前記操作部が同時に視認可能な状態に遷移可能な電子機器において、電池残量が所定値を下回ると、前記第１の表示部を消灯表示または非表示とすると共に前記第２の表示部を点灯表示することを特徴とする。
【０００９】
また、本発明にかかる電子機器は、前記第１の表示部および第２の表示部の表示を制御する表示制御部と、前記第１筐体および第２筐体の状態を検知する状態検知部と、を備え
前記状態検知部が、前記第１状態、第３状態或いは第４状態から前記第２状態に遷移して所定時間経過したことを検知した場合に、前記表示制御部は、前記第１の表示部を消灯表示または非表示すると共に前記第２の表示部を点灯表示することが好ましい。
また、本発明にかかる電子機器は、前記第１の表示部および前記第２の表示部の表示を制御する表示制御部と、電子機器の電池残量を検知する電池残量検知部と、を備え、前記電池残量検知部が、電池残量が所定値を下回ったことを検知した場合に、前記表示制御部は、前記第１の表示部を消灯表示または非表示とすると共に前記第２の表示部を点灯表示することが好ましい。
【００１０】
また、本発明にかかる電子機器は、前記第１の表示部を消灯表示または非表示とすると共に前記第２の表示部を点灯表示する場合に、前記第２状態において前記操作部による操作に基づいて第２の表示部の表示内容が変化することが好ましい。
【００１１】
また、本発明にかかる電子機器は、前記第２の表示部に表示される文字或いは記号を第１の方向および前記第１の方向とは異なる第２の方向に表示させることが好ましい。
【００１２】
また、本発明にかかる電子機器は、前記第２の表示部に表示される文字或いは記号を所定の方向に移動させながら表示させることが好ましい。
また、本発明にかかる電子機器は、前記第１の表示部を消灯表示または非表示とすると共に前記第２の表示部を点灯表示する場合に、前記第１の表示部において表示していた内容を第２の表示部に表示させることが好ましい。
【発明の効果】
【００１３】
本発明によれば、表示を暗くすることなく、かつ消費電力を抑えたユーザにとって使い勝手の良い電子機器を提供することを目的とする。
【図面の簡単な説明】
【００１４】
【図１】携帯電話機１が開いた状態において第１の表示部２と操作部５が同時に視認可能な第１状態の正面図である。
【図２】携帯電話機１が開いた状態において第２の表示部３と操作部５が同時に視認可能な第２状態の正面図である。
【図３】携帯電話機１を第１状態から第２状態に遷移させる途中の斜視図である。
【図４】携帯電話機１が閉じた状態において第１の表示部２が露出されて第２の表示部３が露出されない第３状態の正面図である。
【図５】携帯電話機１が閉じた状態において第２の表示部３が露出されて第１の表示部２が露出されない第４状態の正面図である。
【図６】実施形態にかかる携帯電話機１のシステム構成を図解したブロック図である。
【図７】第１の実施形態にかかるフローチャートである。
【図８】第２の実施形態にかかるフローチャートである。
【発明を実施するための形態】
【００１５】
以下、図面を参照して本発明の好適な実施形態の一例について説明する。
なお、電子機器の一例として携帯電話機１を説明するが、本発明はこれに限定されるものではない。例えばＰＨＳ（Ｐｅｒｓｏｎａｌ  Ｈａｎｄｙ  ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）の他、パーソナルコンピュータやゲーム機等、様々な電子機器に適用可能である。
【００１６】
図１を用いて各部の構成等について説明する。
携帯電話機１は第１の表示部２および第２の表示部３を有する第１筐体としての表示部側筐体４と、操作部５を有する第２筐体としての操作部側筐体６と、表示部側筐体４と操作部側筐体６とを連結する連結部７とを備える。
【００１７】
表示部側筐体４は正面部に各種情報を表示するためのメイン表示部（第１の表示部２）と、背面部にサブ表示部（第２の表示部３）を備える。
また、表示部側筐体４の長手方向における連結部７とは反対側の外端部に音声出力部１８が配置される。
【００１８】
第１の表示部２には、ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）が採用され、第２の表示部３に比べて画面が大きく、また、電力消費量が大きい。
ＬＣＤは液晶を用いたディスプレイであって、表示する際には、背後に配置されているバックライトの光を使う。ＯＬＥＤは電圧をかけると発光する多数の発光素子を平面状に並べ、当該発光素子を表示される画像のパターンに基づいて選択的に表示する際には、この発光する物質の発光する光を使う。
【００１９】
操作部側筐体６は正面部に操作部５を備える。操作部５は操作キー群８と、サイドキー２１から構成される。操作キー群８は、各種設定や電話帳機能やメール機能等の各種機能を作動させるための機能設定操作キー１０と、電話番号の数字やメール機能等の文字等を入力するための入力操作キー１１と、各種操作における決定や上下左右方向のスクロール等を行う決定操作キー１２とから構成されている。
また、操作部側筐体６の長手方向における連結部７とは反対側の外端部側に音声入力部９が配置される。
【００２０】
第２の表示部３は、ＬＣＤやＯＬＥＤが採用されるものであり、第１の表示部３に比べて画面が小さく、また、電力消費量が小さい。
【００２１】
連結部７は、２軸ヒンジ機構を備え、図１、図２、図４および図５に示される第１状態、第２状態、第３状態および第４状態それぞれに遷移可能に表示部側筐体４と操作部側筐体６とを連結する。
第１状態とは携帯電話機１の開状態において第１の表示部２と操作部５とが同時に視認可能な状態である。第２状態とは携帯電話機１の開状態において第２の表示部３と操作部５とが同時に視認可能な状態である。第３状態とは携帯電話機１の閉状態において第１の表示部２が露出されて第２の表示部３が露出されない状態である。第４状態とは携帯電話機１の閉状態において第２の表示部３が露出されて第１の表示部２が露出されない状態である。
図１から図５に示すように、携帯電話機１は、開閉軸Ｘを中心にして回動させることで第１状態から第４状態に遷移する。また、携帯電話機１は、開閉軸Ｘを中心にして回動させることで第２状態から第３状態に遷移する。更に、携帯電話機１は、回動軸Ｙを中心にして回動させることで第１状態から第２状態に遷移し、回動軸Ｙを中心にして回動させることで第２状態から第１状態に遷移する。
【００２２】
図６は本発明の実施形態にかかる携帯電話機１のシステム構成を図解したブロック図である。図６を用いて各部の役割について説明する。
【００２３】
操作部５は、操作キー群８をはじめとした複数のキーを有しており、各キーそれぞれには、起動されているアプリケーションの種類に応じて所定の機能が割り当てられる。携帯電話機１において、操作キー群８を構成する各キーがユーザにより押圧されることで、各キーに割り当てられている機能に応じた動作が実行される。
【００２４】
音声入力部９は、マイク等により、通話時に入力されたユーザの音声を音声信号に変換する。
【００２５】
音声出力部１８は、スピーカ等により、通話時に通話する相手の音声信号を音声に変換して出力する。
また、音声出力部１８は、着信音や操作部５による操作音、アラーム音等の出力も可能である。
【００２６】
無線部１３は電波を利用した無線通信を行うために、制御部１４で処理された音声情
報、電子メール等の各種データを変調して送受信アンテナ１５により図示しない基地局に
送信する。
また、無線部１３は、基地局から無線信号により送信され、送受信アンテナ１５で受信
した電子メールや音声情報等の各種データを復調して制御部１４に送出する。
【００２７】
送受信アンテナ１５は、第１の使用周波数帯（例えば８００ＭＨｚ）で基地局等と通信を行い、ＧＰＳ通信のための第２の使用周波数帯（例えば１．５ＧＨｚ）に対応できるデュアルバンド構成である。なお、本実施の形態では、第１の使用周波数帯として、８００ＭＨｚとしたが、これ以外の周波数帯であっても良い。また、送受信アンテナ１５は、第１の周波数帯で外部装置と通信を行い、ＧＰＳ通信のための第２の使用周波数帯に対応できるアンテナを別途設けても良い。
【００２８】
メモリ１６は、通話やメール、インターネットブラウザ等のアプリケーションプログラ
ム、メールデータ、名前および電話番号が登録されたアドレス帳の各種データなど、本実
施形態の携帯電話機が有する様々なデータを記憶する。
【００２９】
第１の表示部２は、携帯電話機１の第１状態、第２状態および第３状態において外部に露出されている。
第２の表示部３は、携帯電話機１の第１状態、第２状態および第４状態において外部に露出されている。
【００３０】
第２状態、第３状態または第４状態から第１状態に遷移させた場合の第１状態における第１の表示部２および第２の表示部３の表示について説明する。
第１の表示部２は操作部５の操作に基づいて、所定のアプリケーションを起動させる等、表示内容が変化する。また、操作中に第１の表示部２は点灯表示しているが、操作が行われずに所定時間が経過すると、省電力のために消灯表示または非表示となる。
第２の表示部３は操作部５と同時に視認できない状態となっており、操作部５の操作に基づいて所定のアプリケーションを起動させる等して利用されることは想定されていない。よって、点灯表示、消灯表示または非表示のいずれとなるようにしても良いが、中でも第１状態に遷移して所定時間が経過するまでは点灯表示しているのが好ましい。
【００３１】
ここで、点灯表示とは、表示部の照明が点灯して表示されている状態をいう。例えばＬＣＤの場合、バックライトの光を点灯させている状態をいう。ＯＬＥＤの場合、発光素子を発光させている状態をいう。
消灯表示とは、表示部の照明が消灯して表示されている状態をいう。例えば、ＬＣＤの場合、バックライトを消灯させ、かつ表示部に文字或いは記号等を表示させている状態をいう。ＯＬＥＤの場合、発光物質を発光させていない状態をいう。ここで、表示部に表示される画像パターンを構成する発光素子が発光していないため、非表示の状態となる。
非表示とは、表示部に何ら表示されていない状態をいう。例えば、ＬＣＤの場合、バックライトを消灯させ、かつ表示部に文字或いは記号を表示させていない状態をいう。ＯＬＥＤの場合、上述の通りである。
点灯表示させた場合は最も消費する電力が多い。次に消灯表示させた場合で、非表示させた場合は最も消費する電力が少ない。よって、非表示とさせた場合が最も消費電力量を抑えることができる。
【００３２】
第１状態、第３状態または第４状態から第２状態に遷移させた後の第２状態における第１の表示部２および第２の表示部３の表示について説明する。
第１の表示部２は操作部５と同時に視認できない状態となっており、操作部５の操作に基づいて所定のアプリケーションを起動させる等して利用されることは想定されていない。よって、点灯表示、消灯表示または非表示のいずれとなるようにしても良いが、中でも第１状態に遷移して所定時間が経過するまでは点灯表示しているのが好ましい。
第２の表示部３は操作部５の操作に基づいて、所定のアプリケーションを起動させる等、表示内容が変化する。また、操作中に第２の表示部３は点灯表示しているが、操作が行われずに所定時間が経過すると、省電力のために消灯表示または非表示にとなる。
【００３３】
第１状態、第２状態または第４状態から第３状態に遷移させた後の第２状態における第１の表示部２および第２の表示部３の表示について説明する。
第１の表示部２はサイドキー２１の操作に基づいて、所定のアプリケーションを起動させる等、表示内容が変化する。また、操作中に第１の表示部２は点灯表示しているが、操作が行われずに所定時間が経過すると、省電力のために消灯表示または非表示となる。
【００３４】
第１状態、第２状態または第３状態から第４状態に遷移させた後の第４状態における第１の表示部２および第２の表示部３の表示について説明する。
第２の表示部３はサイドキー２１の操作に基づいて、所定のアプリケーションを起動させる等、表示内容が変化する。また、操作中に第２の表示部３は点灯表示しているが、操作が行われずに所定時間が経過すると、省電力のために消灯表示または非表示となる。
【００３５】
ユーザは、通常第１状態において第１の表示部２を用いて操作部５の操作を行い、通話やメール等のアプリケーションを起動させる。
カメラやワンセグ等のアプリケーションを起動させたい場合にはカメラやワンセグの画面が見やすいように第３状態に遷移させることが可能である。
携帯電話機１を使用しない場合には携帯しやすいようにコンパクトな状態にするため、第４状態に遷移させることが可能である。
【００３６】
第１の表示部２および第２表示部３の表示内容としては、メモリ１６に記憶された通話やメール、インターネットブラウザ等のアプリケーションプログラム、名前および電話番号が登録されたアドレス帳の各種データなど様々なデータを表示することがあげられるが、これに限られない。
本実施形態においては、日時、電波状況、電池残量を確認するといった所定の利用のみではなく、操作部５の操作により、第２の表示部３を用いて所定のアプリケーションを起動させる等、携帯電話機１の利用を行うことを可能とする。
また、第１の表示部２の電力消費量は第２の表示部３の電力消費量よりも大きいため、第１の表示部２の代わりに第２の表示部３を用いて操作部５の操作により所定のアプリケーションを起動させる等、携帯電話機１の利用を行うことによって、消費電力を抑えた利用を行うことを可能とする。
【００３７】
制御部１４は、携帯電話機１の各種機能を制御しており、中央処理装置（ＣＰＵ）等を用いて構成される。
制御部１４を構成する状態検知部１９は、携帯電話機１が第１状態、第２状態、第３状態、第４状態またはそれ以外の状態のいずれかであるかを検知する。状態検知部１９は、不図示の開閉検出センサや、連結部７における２軸ヒンジ機構の回転を検出する不図示の回転検出センサ等により構成される不図示の状態検知センサからの情報により携帯電話機１における状態を検知している。
状態検知部１９は携帯電話機１の状態が第１状態から第２状態に遷移したことを検知するとその旨を表示制御部１７に伝える。また、第１状態から第２状態に遷移して所定時間を経過してはじめてその旨を表示制御部１７に伝えても良い。
制御部１４を構成する電池残量検知部２０は、電子機器としての携帯電話機１における電池残量を検知する。
電池残量検知部２０は携帯電話機１の電池残量が所定値を下回ったことを検知するとその旨を表示制御部１４に伝える。
制御部１４を構成する表示制御部１７は、所定の画像処理を行い、処理後の画像データを不図示のドライバＩＣに出力する。ドライバＩＣは、表示制御部１４から供給された画像データをフレームメモリに蓄え、所定のタイミングで第１の表示部２または第２の表示部３に出力する。
また、表示制御部１７は、第１の表示部２または第２の表示部３に所定の内容を表示すべきか否かについての判断に基づいた制御に基づいて所定の画像処理を行い、処理後の画像データを不図示のドライバＩＣに出力する。ドライバＩＣは、表示制御部１４から供給された画像処理に基づいて、所定のタイミングで第１の表示部２または第２の表示部３に出力する。
具体的には、操作部５またはサイドキー２１の操作により、所定のアプリケーションを表示させる等、第１の表示部２および第２の表示部３に表示する内容を制御すると共に、携帯電話機１の状態が第１状態から第２状態に遷移したことを検知した旨または携帯電話機１の電池残量が所定値を下回ったことを検知した旨を前記状態検知部１９または前記電池残量検知部２０より受け取ると第１の表示部２または第２の表示部３を点灯表示、消灯表示または非表示とするか否かの制御を行う。また、かかる制御は所定時間経過後に行っても良い。
【００３８】
ここで、本発明の第１の実施形態について図７のフローチャートに従って説明する。
【００３９】
Ｓ１、Ｓ２で示すとおり、携帯電話機１が第１状態である場合は第１の表示部２が点灯表示しており、ユーザは操作部５の操作により第１の表示部２を用いて所定のアプリケーションを起動させる等、携帯電話機１を利用することが可能な状態にある。
【００４０】
Ｓ３で示すとおり、携帯電話機１を前記第１状態から第２状態へ遷移させた場合、状態検知部１９がこれを検知するとその旨を表示制御部１７に伝える。
状態検知部１９は第１状態から第２状態に遷移してから所定時間経過したことを検知してはじめてその旨を表示制御部１７に伝えても良い。所定時間についてはユーザが設定可能としても良いし、予め携帯電話機１に記憶されていても良い。
【００４１】
Ｓ４で示すとおり、表示制御部１７は状態検知部１９が第２状態に遷移したことを検知した旨を受け取ると、第１の表示部２を消灯表示または非表示とし、第２の表示部３を点灯表示する。
第１の表示部２が消灯表示または非表示とするまでの所定時間と第２の表示部３が点灯表示するまでの所定時間は異なる時間が設定されていても良い。
【００４２】
第１状態から第２状態に遷移して第２の表示部３が点灯表示した場合に、第２の表示部３に表示する内容の一例を挙げる。第２の表示部３にアドレス帳を表示させたい場合に、その画面の大きさにより、第１の表示部２に表示されるアドレス帳の半分のアドレス帳を表示させる。操作部５の操作によって、所望のアドレス帳を選択して電話をかけることができる。他の例としては、第２の表示部３に受信メール一覧を表示させたい場合に、その画面の大きさにより、第１の表示部２に表示される受信メール一覧の半分の数の受信メール一覧を表示させる。操作部５の操作によって、所望の受信メールを選択するとその内容を表示させることができる。
【００４３】
次に、本発明の第２の実施形態について図８のフローチャートに従って説明する。
【００４４】
Ｓ５、Ｓ６で示すとおり、携帯電話機１の電池残量が所定値以上の場合は第１の表示部２が点灯表示しており、ユーザは操作部５の操作により第１の表示部２を用いて携帯電話機１を利用することが可能である。
【００４５】
Ｓ７で示すとおり、携帯電話機１の電池残量が所定値を下回った場合に、電池残量検知部２０がこれを検知するとその旨を表示制御部１７に伝える。
表示制御部１７は電池残量検知部２０が電池残量について所定値を下回ったことを検知した旨受け取ると、電池残量が所定値を下回った旨または第２状態に遷移するよう促す旨を
ユーザに報知させるために、第１の表示部２または第２の表示部３にその旨表示させることがあげられるが、これに限られない。
所定値についてはユーザが設定可能としても良いし、予め携帯電話機１に記憶されていても良い。
【００４６】
Ｓ８で示すとおり、携帯電話機１が第１状態、第３状態或いは第４状態から第２状態に遷移すると、Ｓ９で示すとおり、表示制御部１７は、第１の表示部２を消灯表示または非表示とし、第２の表示部３を点灯表示する。
第１の表示部２が消灯表示または非表示とするまでの所定時間と第２の表示部３が点灯表示するまでの所定時間は異なる時間が設定されていても良い。
【００４７】
上記第１の実施形態および第２の実施形態において表示制御部１７が第１の表示部２を消灯表示または非表示とし、第２の表示部３を点灯表示した場合に、第２状態においてユーザが第２の表示部３を利用して操作部５またはサイドキー２１の操作により、所定のアプリケーションを起動させる等、携帯電話機１を利用することを可能とするようにしても良い。
これにより、第２の表示部３に表示される内容として例えばアドレス帳のデータ、通話やメールのアプリケーションがあげられるが、これに限られない。
また、操作部５の操作により、第２の表示部３を用いてアドレス帳のデータから所望のデータを選択して通話のアプリケーションを起動させてメールの作成や閲覧することができるが、これに限られない。
【００４８】
第２状態において第２の表示部３を操作部５またはサイドキー２１の操作により、所定のアプリケーションを起動させる等、携帯電話機１を利用する場合に、第２の表示部３に表示される文字或いは記号を、第１の方向および前記第１の方向とは異なる第２の方向に表示することが可能となるようにしても良い。
これにより、第２の表示部３の画面の大きさや配置される場所に限られず、ユーザにとって読みやすい方向での表示の利用が可能となる。
例えば第２表示部の短手方向または長手方向に文字或いは記号を表示させることが可能となる。
【００４９】
第２状態において第２の表示部３を操作部４またはサイドキー２１の操作により、所定のアプリケーションを起動させる等、携帯電話機１を利用する場合に、第２の表示部３に表示される文字或いは記号を所定の方向に移動させながら表示することが可能となるようにしても良い。
これにより、第２の表示部３の画面の大きさや配置される場所に限られず、ユーザにとって読みやすい方向での表示の利用が可能となる。
【００５０】
第１状態において第１の表示部２を操作部５またはサイドキー２１の操作により、所定のアプリケーションを起動させる等、携帯電話機１を利用している際に第２状態に遷移して所定時間経過したことによりまたは電池残量が所定値を下回ったことにより第１の表示部２が消灯表示または非表示となり、第２の表示部３が点灯表示した場合に、前記第１の表示部２において表示していた所定のアプリケーションの内容がそのまま第２の表示部３に表示されるようにしても良い。
これにより、第１状態において第１の表示部２を操作部５またはサイドキー２１の操作により、所定のアプリケーションを起動させる等、携帯電話機１を利用している際に、第２状態に遷移して所定時間経過したことによりまたは電池残量が所定値を下回ったことにより第１の表示部２が消灯表示または非表示として第２の表示部３が点灯表示した場合に、前記第１の表示部２において表示していた内容をそのまま利用することが可能となる。
また、これに限られず第１状態において第１の表示部２を操作部５またはサイドキー２１の操作により、所定のアプリケーションを起動させる等、携帯電話機１を利用している際に、第２状態に遷移して所定時間経過したことによりまたは電池残量が所定値を下回ったことにより第１の表示部２が消灯表示または非表示として第２の表示部３が点灯表示した場合に、第２の表示部３の表示内容として待受け状態を表示させても良い。
【符号の説明】
【００５１】
１携帯電話機（電子機器）
２第１の表示部
３第２の表示部
４表示部側筐体
５操作部
６操作部側筐体
７連結部
８操作キー群
９音声入力部
１０機能設定操作キー
１１入力操作キー
１２決定操作キー
１３無線部
１４制御部
１５送受信アンテナ
１６メモリ
１７表示制御部
１８音声出力部
１９状態検知部
２０電池残量検知部
２１サイドキー
【図１】
2010177883.tif 000003
【図２】
2010177883.tif 000004
【図３】
2010177883.tif 000005
【図４】
2010177883.tif 000006
【図５】
2010177883.tif 000007
【図６】
2010177883.tif 000008
【図７】
2010177883.tif 000009
【図８】
2010177883.tif 000010